(57)【要約】【課題】犬の散歩時、リードの弛みに犬の前足が絡まってしまうことが頻繁に起きていた。これは首輪とリードとの結合部が一か所であることで、重心を持つ結合部が犬の首下へ回り落ちてしまい、そのことによって首下から犬の前足前方へリードの弛みが生じ、前足がリードを乗り越えてしまうことに起因していた。  本発明は首輪とリードとの結合部が犬の首下へ回り落ちることによって生じる、犬の前足のリードへの絡みつきを防ぐ、二股継ぎ紐式犬の首輪を提供する。【解決手段】首輪の輪の直径の凡そ両端点よりリべット等の結合具にて継ぎ紐を設け、其々の継ぎ紐の他端をリードとの連結具となる回転カン等のスイベルに結合し、首輪に二股の継ぎ紐を構成したことで首輪とリードとの結合点を二か所とし、結合部の重心を犬の首の概ね両サイドに振り分けたことを特徴とする二股継ぎ紐式犬の首輪。【選択図】図２
2013179938.tif 000002
【特許請求の範囲】
【請求項１】
首輪の輪の直径の凡そ両端点より其々に継ぎ紐を設け、其々の継ぎ紐の他端を結合させ継ぎ紐を二股に形成し、二股の分岐点にスイベルを設け、首輪に二股継ぎ紐を構成させた、二股継ぎ紐式犬の首輪。
【発明の詳細な説明】
【技術分野】
【０００１】  本発明は、首輪に二股の継ぎ紐を設け、リードと首輪との結合部に二股継ぎ紐を介することによって結合点が二点設けられたことで、散歩時の犬の前足のリードへの絡みつきを防止する、二股継ぎ紐式犬の首輪に関するものである。
【背景技術】
【０００２】  従来、犬の首輪といえば、リードとの結合部が一か所であった。【０００３】  犬の前足のリードへの絡みつきを防止するものとして、リードの首輪との連結部側に硬化部を備え、犬の胴体付近のリードの撓性を低下させるものがある。（特許文献１参照）【０００４】  また円柱状スプリング等の空洞細長状具に筒状カバーを冠着させ、首輪とリードとの連結部を空洞細長状具の内胴に入り込ませ、犬の胴体からリードを遠ざけたものがある。（特許文献２参照）
【先行技術文献】
【０００５】
【特許文献１】特開平１１−１６４６３２
【特許文献２】特開２００２−２９１３６９
【発明の概要】
【発明が解決しようとする課題】
【０００６】  散歩時における犬とリードを持つ飼い主との位置関係が、ある程度の距離を保っていれば、リードは張った状態にあり問題はないが、その距離が縮まった時にはリードが弛んでしまい、その弛みに犬の前足が絡まることが頻繁に起きていた。【０００７】  これはリードと首輪との結合部が一か所であり、重心が一つであることを原因とし、重心を持った結合具が犬の首下へと回り落ちてしまうことで、リードの弛みが犬の前足より前方に生じ、前足がリードを乗り越えて絡まるという現象であった。【０００８】  特に小型犬の場合、リードも首輪も軽量である為、結合部の金具等の僅かな重みでも、その重心はすぐに首下へ回り落ち、散歩の度にその状況が頻発していた。【０００９】  リードの首輪との連結部側に硬化部を備え、犬の胴体付近のリードの撓性を低下させるものや（特許文献１）、首輪とリードとの連結部を空洞細長状具の内胴に入り込ませ、犬の胴体からリードを遠ざけたもの（特許文献２）であれば犬の足がリードに絡むことを防止することは可能ではあるが、連結部が一点であるため、その連結部はやはり犬の首下に回り落ちることは否めず、硬化部、或いは空洞細長状具が犬の前足の付近に位置した場合、歩行の妨げになる懸念が否めない。【００１０】  特に小型犬であれば散歩具は軽量で、構造がシンプルであり、違和感なく歩行できるよう可撓性を持ったものが求められる。【００１１】  弛んだリードが犬の前足の前方へ存在してしまうことで前足はリードを乗り越え、絡まるという現象が起こり、たとえリードが弛んでもリードが前足側部に存在するのであれば犬の足がリードを乗り越えることは無く、絡まることは無い。【００１２】  犬の散歩の際、犬の前足とリードとの絡みつきを防ぐには、首輪とリードを一か所で接続させ重心を一点にするのではなく、首輪にリードとの接点を二か所設け、重心を二点に振り分け、首輪とリードとの接点が犬の首下へ位置することを防ぐことが望ましい。
本発明は以上の問題点を解決するものである。
【課題を解決するための手段】
【００１３】  首輪の輪の直径の凡そ両端点より其々に継ぎ紐を設け、其々の継ぎ紐の他端を結合し、首輪に二股の継ぎ紐を構成する。【００１４】  首輪の輪の直径の両端点と二股継ぎ紐との接点は縫合やカシメ、輪環等によって結合させても良いが、回転可能なリべットによって結合させ二股継ぎ紐と首輪との結合部が、リベットの軸を中心に可動性を持つことが望ましい。【００１５】  また上記結合部にスライドアジャスターを施すことで、バックルやサイズ調整アジャスターにて首輪サイズを変動させた際、二股継ぎ紐との二点の結合部を直径の両端点、即ち首輪の全長の両端からおよそ４分の１の位置に其々スライド調整できる。【００１６】  さらに上記結合部においてナスカンにて結合させることにより、首輪と二股継ぎ紐を着脱可能とすることもできる。【００１７】  上記結合部が首輪の輪の直径の両端点、即ち首輪の全長の両端からおよそ４分の１の位置に設けられることで、愛犬が首輪を装着した際に、愛犬の首の両サイドに其々の結合部を存在させる。【００１８】  首輪の輪の直径の両端点で結合された二股継ぎ紐の他端、即ち結合された二点の其々の紐の長手方向の他端の結合部には、リードと連結させるため、及び捩れ防止のためのサルカンや回転カン等のスイベルを設ける。【００１９】  上記結合された二股継ぎ紐の他端、即ち結合された二点の其々の紐の他端の結合部に設けたスイベルにリードを縫合やカシメによって結合し、首輪からリードまでを一体型としてもよい。【００２０】  上記結合された二股継ぎ紐の他端、即ち接合された二点の其々の紐の他端の結合部までの長さは、首輪全長の長さを超えない程度が望ましい。【００２１】  首輪には尾錠留めバックルまたはアジャスターバックルを設け、サイズ調整機能を持たないバックルの場合はアジャスターを設ける。
以上の構成よりなる二股継ぎ紐式犬の首輪。
【発明の効果】
【００２２】  首輪の輪の直径の凡そ両端点にて二股継ぎ紐を構成させたことで、首輪とリードの結合部が首輪の両端の二か所となり、重心は左右に振り分けられ、首輪は均衡を保ち首下へ結合部が回り落ちることがなくなる。【００２３】  従ってリードの弛みは犬の前足の前方に生じることはなく、犬と飼い主との位置関係が縮まった時に生じるリードの弛みは、犬の胴体側部に生じるため前足はリードを乗り越えず、足がリードに絡まることを防止する。
【図面の簡単な説明】
【００２４】
【図１】本発明のバックルを尾錠留とした斜視図
【図２】本発明のバックルをアジャスターバックルとしリードと一体型とした斜視図
【発明を実施するための形態】
【００２５】  以下、本発明の実施の形態を説明する。
（イ）首輪（１）の輪の凡そ両端点に継ぎ紐（２）をリべット（３）や輪環（４）カシメ      （５）等によって結合させる。
（ロ）結合した其々の継ぎ紐の他端をカシメ（５）や縫合により結合させ二股に形成し、      首輪に二股継ぎ紐を構成する。
（ハ）二股継ぎ紐の分岐点（６）にリードとの連結具となる回転カン（７）等のスイベル      を設ける。
（ニ）首輪（１）には尾錠留めバックル（８）やアジャスターバックル（９）を設ける。
（ホ）継ぎ紐の分岐点（６）に設けた回転カン（７）の他方にリードをカシメ（５）等し      て結合することで、二股継ぎ紐を介したリードから首輪までの一体型となる。
本発明は以上のような構造である。
【００２６】  本発明を使用するときは、犬に首輪（１）をかけた後、バックル（８）（９）によってサイズを調整する。この際、首輪の両端点にリべット（３）等によって結合された継ぎ紐（２）の結合部は犬の首の両サイドに位置し、結合部の重心を左右に振り分け、犬の首下への輪環（４）等の結合具の回り落ちを防ぐ。二股継ぎ紐の分岐点（６）に設けた回転カン（７）等のスイベルの他方にリード（１０）を連結して使用する。
なお、散歩時に犬と飼い主との距離が近くなった際、二股継ぎ紐の分岐点（６）に設けた回転カン（７）の重心によってリードに弛みが生じるが、首輪（１）と継ぎ紐（２）との結合点の重心は概ね均衡を保ち、リベット（３）や輪環（４）等の結合具は犬の首下へ回り落ちることは無く、リード（１０）の弛みは犬の前足前方ではなく側部へ位置するので、リードを乗り越えることによって生じる前足への絡みつきは起きない。
【符号の説明】
【００２７】１首輪
２継ぎ紐
３リベット
４輪環
５カシメ
６分岐点
７回転カン
８尾錠留めバックル
９アジャスターバックル
１０リード
【図１】
2013179938.tif 000003
【図２】
2013179938.tif 000004